(57)【要約】【課題】  天板上面にトレー引出し付きの収納具を設けキャビネットワゴンにおいて、収納具のトレー引出しとキャビネット本体の引出しを同時に施錠することが可能であり、コスト上昇を最小限に抑えたキャビネットワゴンを提供する。【解決手段】  多段に引出し２を設けたキャビネット本体１の天板３上面に、トレー引出し５を設けた収納具４を着脱可能に装着し、天板に内蔵した施錠具６の施錠、開錠動作に連動して上下動する施錠杆１７をキャビネット本体の側框部１８に垂設し、施錠杆の上端の係合片１９を天板を貫通させて収納具の内部に位置させ、施錠具の施錠動作に連動して施錠杆が上動すると、施錠杆が各引出しの適所に引き出し不能に係合し且つ係合片がトレー引出しの適所に引き出し不能に係合する。【選択図】        図６
2006125075.tif 000002
【特許請求の範囲】
【請求項１】
多段に引出しを設けたキャビネット本体の天板上面に、トレー引出しを設けた収納具を着脱可能に装着し、前記天板若しくは最上段の引出し前板に内蔵した施錠具の施錠、開錠動作に連動して上下動する施錠杆を前記キャビネット本体の側框部に垂設するとともに、該施錠杆の上端に設けた係合片を前記天板を貫通させて前記収納具の内部に位置させ、前記施錠具の施錠動作に連動して前記施錠杆が上動すると、該施錠杆が各引出しの適所に引き出し不能に係合するとともに、前記係合片が前記トレー引出しの適所に引き出し不能に係合し、前記施錠具の開錠動作に連動して前記施錠杆が下動すると、前記各引出し及びトレー引出しに対する係合が解除されることを特徴としたキャビネットワゴン。
【請求項２】
前記キャビネット本体の天板上面に、トレー引出しを設けた収納具を、後部を余して着脱可能に装着してなる請求項１記載のキャビネットワゴン。
【請求項３】
前記施錠具の施錠動作に連動して前記施錠杆が上動すると、前記トレー引出しの側部に側方へ突出状態で形成した補強縁部の下面に形成した係合孔に前記係合片が係入してなる請求項１又は２記載のキャビネットワゴン。
【請求項４】
前記施錠具が前記天板に内蔵したシリンダー錠であり、該シリンダー錠の後端部にキー操作によって偏心回転する操作ピンが後方へ向けて突設されており、前記天板内部であって前記施錠杆の上部に設けた水平な操作板部の下面を前記操作ピンに摺接状態で載支するとともに、該操作板部の上面に前記係合片を立設してなる請求項１〜３何れかに記載のキャビネットワゴン。
【請求項５】
前記施錠具が最上段の引出し前板に内蔵したダイヤル錠であり、該ダイヤル錠につまみ操作によって回転して前記前板上端から前記天板内へ進入する翼片が設けられており、前記天板内部であって前記施錠杆の上部に設けた略水平な操作板部の下面を前記翼片に摺接可能に設けるとともに、該操作板部の上面に前記係合片を立設してなる請求項１〜３記載のキャビネットワゴン。
【請求項６】
前記施錠具が最上段の引出し前板に内蔵したダイヤル錠であり、該ダイヤル錠につまみ操作によって上下動して前記前板上端から前記天板内へ進入する施錠片が設けられており、前記天板内部であって前記施錠杆の上部に設けた略水平な操作板部の下面を前記施錠片に当接可能に設けるとともに、該操作板部の上面に前記係合片を立設してなる請求項１〜３記載のキャビネットワゴン。
【発明の詳細な説明】
【技術分野】
【０００１】
本発明は、キャビネットワゴンに係わり、更に詳しくは全ての引出しを同時に施錠することが可能なキャビネットワゴンに関するものである。
【背景技術】
【０００２】
従来から、机天板の下方に配置したり、机側方に配置して使用するキャビネットワゴンは各種提供されている。通常、机天板の下面にはセンター引出しを設けることが多く、また天板の下面後方に補強用の横ビームがあるのため、何れの場合にも共用できるようにするため、センター引出しや横ビームの下方に押し込むことができるように、キャビネットワゴンの高さもそれに応じて低く設定されている。学習机関係では、昇降天板を設け、机の側方へ設置して使用する際に机天板と同じ高さや適宜高さに調節できるワゴンも提供されている。
【０００３】
しかし、事務用のキャビネットワゴンでは、机天板の下面にセンター引出しがない位置に設置した場合には、キャビネットワゴンの天板と机天板との間に空間が形成されたままになっている。
【０００４】
尚、特許文献１には、本体に引出しを多段に設けたキャビネットワゴンの天板の上面に収納用凹部を形成し、該収納用凹部の深さに相当する前面部分に傾斜面を形成し、該傾斜面に引手部を形成した構造のものが提供されている。このキャビネットワゴンは、机の脚部間の天板下方に配置して使用することができるが、この場合もキャビネットワゴンの天板と机天板との間に比較大きな隙間が形成されている。
【０００５】
そこで、本出願人より机天板の下面にセンター引出しを設けた場合でも、また天板の下面後方に補強用の横ビームが存在する場合でも、机天板の下方に配置することができる高さのキャビネット本体の天板上面に、後部を余して着脱可能にトレー引出し付きの収納具を設け、机天板との間に生じる隙間の有効利用が図れるキャビネットワゴンが提案されている。しかし、前記キャビネット本体に設けた多段の引出しは、天板の前端部に内蔵した施錠具で同時に施錠することができるものの、天板上面に設けた収納具のトレー引出しには施錠具を設けてないので施錠することができず、また仮に収納具に独立して施錠具を設けた場合にはコスト高となる問題を有していた。
【特許文献１】特許第２５７０４８３号公報
【発明の開示】
【発明が解決しようとする課題】
【０００６】
そこで、本発明が前述の状況に鑑み、解決しようとするところは、天板上面にトレー引出し付きの収納具を設けキャビネットワゴンにおいて、収納具のトレー引出しとキャビネット本体の引出しを同時に施錠することが可能であり、コスト上昇を最小限に抑えたキャビネットワゴンを提供する点にある。また、机天板の下面とキャビネット本体の天板との間の空間の有効利用を図るべく、天板上面にトレー引出し付きの収納具を設けて、天板の下面後方に補強用の横ビームが存在する場合でも、机天板の下方に配置することができるキャビネットワゴンを提供する。
【課題を解決するための手段】
【０００７】
本発明は、前述の課題解決のために、多段に引出しを設けたキャビネット本体の天板上面に、トレー引出しを設けた収納具を着脱可能に装着し、前記天板若しくは最上段の引出し前板に内蔵した施錠具の施錠、開錠動作に連動して上下動する施錠杆を前記キャビネット本体の側框部に垂設するとともに、該施錠杆の上端に設けた係合片を前記天板を貫通させて前記収納具の内部に位置させ、前記施錠具の施錠動作に連動して前記施錠杆が上動すると、該施錠杆が各引出しの適所に引き出し不能に係合するとともに、前記係合片が前記トレー引出しの適所に引き出し不能に係合し、前記施錠具の開錠動作に連動して前記施錠杆が下動すると、前記各引出し及びトレー引出しに対する係合が解除されるキャビネットワゴンを構成した（請求項１）。
【０００８】
ここで、前記キャビネット本体の天板上面に、トレー引出しを設けた収納具を、後部を余して着脱可能に装着してなることがより好ましい（請求項２）。
【０００９】
また、前記施錠具の施錠動作に連動して前記施錠杆が上動すると、前記トレー引出しの側部に側方へ突出状態で形成した補強縁部の下面に形成した係合孔に前記係合片が係入してなることが好ましい（請求項３）。
【００１０】
そして、前記施錠具が前記天板に内蔵したシリンダー錠であり、該シリンダー錠の後端部にキー操作によって偏心回転する操作ピンが後方へ向けて突設されており、前記天板内部であって前記施錠杆の上部に設けた水平な操作板部の下面を前記操作ピンに摺接状態で載支するとともに、該操作板部の上面に前記係合片を立設してなるのである（請求項４）。
【００１１】
あるいは、前記施錠具が最上段の引出し前板に内蔵したダイヤル錠であり、該ダイヤル錠につまみ操作によって回転して前記前板上端から前記天板内へ進入する翼片が設けられており、前記天板内部であって前記施錠杆の上部に設けた略水平な操作板部の下面を前記翼片に摺接可能に設けるとともに、該操作板部の上面に前記係合片を立設してなるのである（請求項５）。
【００１２】
あるいは、前記施錠具が最上段の引出し前板に内蔵したダイヤル錠であり、該ダイヤル錠につまみ操作によって上下動して前記前板上端から前記天板内へ進入する施錠片が設けられており、前記天板内部であって前記施錠杆の上部に設けた略水平な操作板部の下面を前記施錠片に当接可能に設けるとともに、該操作板部の上面に前記係合片を立設してなるのである（請求項６）。
【発明の効果】
【００１３】
以上にしてなる請求項１に係る発明のキャビネットワゴンは、施錠具を施錠操作することによって連動して上動する施錠杆が、キャビネット本体に多段に設けた各引出しの適所に引き出し不能に係合するとともに、前記施錠杆の上端に設けた係合片が前記トレー引出しの適所に引き出し不能に係合するので、収納具のトレー引出しとキャビネット本体の引出しを同時に施錠することが可能であり、また施錠具は元々キャビネット本体に備えているので、コスト上昇を最小限に抑えることができる。
【００１４】
請求項２によれば、天板の下面後方に補強用の横ビームが存在する場合でも、机天板の下方に配置することができる高さのキャビネット本体の天板上面に、後部を余してトレー引出し付きの収納具を設けることにより、横ビームを避けて机天板の下方に配置して、机天板の下面とキャビネット本体の天板との間の空間の有効利用を図ることができる。
【００１５】
請求項３によれば、前記施錠具の施錠動作に連動して前記施錠杆が上動すると、前記トレー引出しの側部に側方へ突出状態で形成した補強縁部の下面に形成した係合孔に前記係合片が係入する構造としたので、キャビネット本体に備えている施錠具の施錠杆を改良するだけで、収納具のトレー引出しもキャビネット本体の引出しと同時に施錠することができ、またキャビネット本体の天板へ収納具を装着する際の係合片との連係を容易にできる。
【００１６】
請求項４によれば、施錠具としてキャビネット本体の天板にシリンダー錠を内蔵した最も一般的な構造を採用し、該シリンダー錠の後端部にキー操作によって偏心回転する操作ピンに、前記天板内部で前記施錠杆の上部に設けた水平な操作板部の下面を摺接状態で載支するだけの簡単な構成であるにも係わらず、施錠操作に連動して施錠杆が上動することにより、前記操作板部の上面に立設した前記係合片が収納具のトレー引出しの適所に係合し、具体的には側部の補強縁部の下面に形成した係合孔に係入して、トレー引出しの引き出しを確実に規制することができる。
【００１７】
請求項５によれば、施錠具として最上段の引出し前板にダイヤル錠を内蔵した構造を採用しても、該ダイヤル錠のつまみ操作によって回転して前記前板上端から前記天板内へ進入する翼片に、前記天板内部で前記施錠杆の上部に設けた略水平な操作板部の下面を摺接可能に設けるだけで、施錠操作に連動して施錠杆が上動することにより、前記操作板部の上面に立設した前記係合片が収納具のトレー引出しの適所に係合し、具体的には側部の補強縁部の下面に形成した係合孔に係入して、トレー引出しの引き出しを確実に規制することができる。
【００１８】
また、請求項６によれば、該ダイヤル錠のつまみ操作によって上動して前記前板上端から前記天板内へ進入する施錠片に、前記天板内部で前記施錠杆の上部に設けた略水平な操作板部の下面を当接可能に設けるだけで、施錠操作に連動して施錠杆が上動することにより、前記操作板部の上面に立設した前記係合片が収納具のトレー引出しの適所に係合するのである。
【発明を実施するための最良の形態】
【００１９】
次に、添付図面に示した実施形態に基づき、本発明を更に詳細に説明する。図１は、本発明に係る収納具を備えたキャビネットワゴンを示し、図２及び図３は、そのキャビネットワゴンを机の天板下方に設置した状態を示し、図４〜図９は本発明の詳細を示し、図中符号Ａはキャビネットワゴン、Ｂは机、１はキャビネット本体、２は引出し、３は天板、４は収納具、５はトレー引出し、６は施錠具をそれぞれ示している。
【００２０】
前記キャビネットワゴンＡは、図１に示すように、キャビネット本体１に多段に引出し２，…を手前に引き出し可能に設けるとともに、キャビネット本体１の天板３上面に、トレートレー引出し５を設けた収納具４を、後部を余して着脱可能に装着したものである。そして、本実施形態では、前記キャビネット本体１の上面には天板３を着脱可能に設けるとともに、該天板３の一側寄り前端部に施錠具６を内蔵し、更に前記キャビネット本体１の下面には複数のキャスター７，…を設けて移動可能としている。
【００２１】
前記机Ｂは、図２及び図３に示すように、机天板８の両端部を脚部９，９で支持するとともに、該机天板８の下面後方に補強用の横ビーム１０を横設したものである。前記キャビネットワゴンＡの天板３までの高さは、前記横ビーム１０の下方を通過できる高さに設定されている。
【００２２】
そして、前記キャビネットワゴンＡのキャビネット本体１の天板３上面に、後部を余して前記収納具４を着脱可能に装着することにより、図３に示すように、前記机Ｂの机天板８の下方に当該キャビネットワゴンＡを押し込むと、前記キャビネット本体１の後部は前記横ビーム１０の下方に位置し、また前記収納具４は前記横ビーム１０の前方に位置するので、キャビネットワゴンＡを机天板８の下方へ設置する際に、何ら支障を来たすことはなく、そればかりか従来デットスペースとなっていた机Ｂの机天板８とキャビネットワゴンＡの天板３との間に生じる空間に前記収納具４が位置するので、有効利用を図ることができたのである。
【００２３】
前記収納具４は、少なくとも先方を解放した偏平な形状の箱型ケース１１に浅いトレー引出し５を設けるとともに、上面にトレー部１２を設けたものであり、更に前記箱型ケース１１の側面にハンギングレール１３，１３を形成している。ここで、前記トレー部１２は、箱型ケース１１の上面に凹陥部１４を形成し、該凹陥部１４に摩擦抵抗の大きなシート１５を敷設している。また、前記シート１５の上面側の前部には、ペントレー用の凹部１６を形成している。尚、前記シート１５に凹部１６を設けないフラットのものを用いて、単に載置部とすることも可能である。
【００２４】
ここで、前記シート１５としては、ポリプロピレン（ＰＰ）、ポリエチレン（ＰＥ）等のポリオレフィン系樹脂やポリエチレンテレフタレート（ＰＥＴ）を好ましく用いることができる。尚、前記シート１５の性質としては、その目的に応じて決定され、単に物が滑り落ちないようにするだけであれば、ゴムのような摩擦抵抗が大きいものとし、上面に書類を載置して筆記する場合には、所定の硬度が必要である。また、前記シート１５に凹部１６を設けない場合には、前記トレー引出し５の内部に合成樹脂製のペントレーを装着することが好ましい。
【００２５】
そして、本発明は、前記天板３に内蔵した施錠具６の施錠、開錠動作に連動して上下動する施錠杆１７を前記キャビネット本体１の側框部１８に垂設するとともに、該施錠杆１７の上端に設けた係合片１９を前記天板３を貫通させて前記収納具４の内部に位置させ、前記施錠具６の施錠動作に連動して前記施錠杆１７が上動すると、該施錠杆１７が各引出し２，…の適所に引き出し不能に係合するとともに、前記係合片１９が前記トレー引出し５の適所に引き出し不能に係合し、前記施錠具６の開錠動作に連動して前記施錠杆１７が下動すると、前記各引出し２，…及びトレー引出し５に対する係合が解除されるように構成したものである。
【００２６】
以下、本発明の詳細を図４〜図９に基づいて説明する。第１実施形態では、前記施錠具６が前記天板に内蔵したシリンダー錠６Ａであり、該シリンダー錠６Ａの後端部にキー操作によって偏心回転する操作ピン２０が後方へ向けて突設されており、前記天板３内部であって前記施錠杆１７の上部に設けた水平な操作板部２１の下面を前記操作ピン２０に摺接状態で載支するとともに、該操作板部２１の上面に前記係合片１９を立設している。前記係合片１９は、前記天板３の上面に形成したスリット孔２２を貫通して前記収納具４の箱型ケース１１内に進入し、前記施錠具６の施錠動作に連動して前記施錠杆１７が上動すると、前記トレー引出し５の側部に側方へ突出状態で形成した補強縁部２３の下面に形成した係合孔２４に前記係合片１９が係入するようになっている。つまり、前記シリンダー錠６Ａに図示しないキーを指し込み、キーを右回りに回すと、前記操作ピン２０が偏心回転して前記操作板部２１の下面に摺接しながら押上げ、もって前記施錠杆１７と係合片１９が上動するのである。
【００２７】
また、図５に示すように、前記施錠杆１７の側部には、前記引出し２，…に対応して係合爪２５，…が所定間隔をおいて突設してあり、前記施錠具６の施錠動作に連動して前記施錠杆１７が上動すると、前記各引出し２の側面に突設した係合部２６の前側に前記係合爪２５が上昇して位置し、該係合部２６を当止して引き出し不能とするのである。尚、前記施錠具６の施錠動作に連動して前記施錠杆１７が上動して、該施錠杆１７が各引出し２，…の適所に引き出し不能に係合する構造は、従来公知の各種のロック構造を採用できる。
【００２８】
次に、前記収納具４の具体的構造と、前記キャビネット本体１の天板３への取付構造は、本発明では特に限定されないが、図４〜図９に基づいて詳細に説明する。図４、図６及び図７に示すように、前記キャビネット本体１の上端には、前補強２７と後補強２８とが横設されており、前記天板３は上面板２９の周囲に側面板３０を有する下方開放の箱型構造を有し、該天板３の上面板２９の下面で前記前補強２７と後補強２８に対応する位置に補強を兼ねた前連結部材３１と後連結部材３２を横設し、前記前補強２７に通孔３３，３３を形成し、前記前連結部材３１に螺孔３４，３４を形成し、前記後補強２８に前方が大径で後方が小径のダルマ孔３５，３５を形成し、前記後連結部材３２に頭付き係合ピン３６，３６を下設し、該係合ピン３６，３６を前記ダルマ孔３５，３５に落とし込み、後方へ天板３を移動させて確実に両者を係合させ、それから前記通孔３３，３３の下方から挿入したネジ３７，３７を前記螺孔３４，３４に螺合して連結する。ここで、前記螺孔３４の代わりに通孔を形成した場合には、前記ネジ３７はタッピンネジを使用する。
【００２９】
また、図６〜図８に示すように、前記収納具４を前記キャビネット本体１の天板３の上面に取付けるには、該収納具４の４つのコーナー部に設けた合成樹脂製のコーナー部材３８，…に、前記天板３の上面板２９に開口した取付孔３９，…に下方から挿通したネジ４０，…を螺合するのである。尚、前記コーナー部材３８の下面には四角柱状の突起４１を突設し、該突起４１を前記天板３の取付孔３９の近傍に形成した四角孔４２，…に嵌合させて収納具４を位置決めして取付けることができるようにしている。
【００３０】
更に詳しくは、前記収納具４の箱型ケース１１は、図８及び図９に示すように、上板４３の両側縁を下方へ折曲して側面板４４，４４を形成するとともに、該側面板４４，４４の下縁を外方へ折曲して固定片４５，４５を形成し、前記上板４３の後端に背面部材４６を固着したものである。更に、前記側面板４４，４４の外側面に前記ハンギングレール１３を形成したアルミ押出し型材からなる化粧部材４７，４７を沿わせるとともに、両内側面にレール４８，４８を沿わせ、図示しないが、前記化粧部材４７とレール４８とを側面板４４を貫通させたネジで互に締結する。更に、前記化粧部材４７の前後端部には、合成樹脂製のコーナー部材３８，３８を嵌着して、前記背面部材４６の切断端部を覆っている。そして、前記化粧部材４７，…と前記背面部材４６の上端部は、前記上板４３の上面よりも高く設定し、前記凹陥部１４を形成している。
【００３１】
また、前記箱型ケース１１の両側面板４４，４４の内面に固定した前記レール４８，４８で前記トレー引出し５の補強縁部２３，２３の後端に設けたスライダー４９，４９で摺動するようになっている。尚、前記トレー引出し５は、胴部５０と側部材５１，５１と引手部材５２とから構成されている。前記補強縁部２３は、前記胴部５０の側部の断面コ字形の折曲部５３と側部材５１とで、四角パイプ状に形成している。そして、前記係合片１９を係入する係合孔２４は前記側部材５１に形成している。
【００３２】
以上説明した第１実施形態では、前記キャビネット本体１の天板３の上面に、トレー引出し５を設けた収納具４を、後部を余して着脱可能に装着した構造のものであるが、図１０に示すように、前記天板３の後部に空間部が存在しない、つまり後端が天板３の後端まで存在する大きさの収納具４を装着する構造であっても、本発明は適用できることは明らかである。
【００３３】
次に、本発明の第２実施形態を図１１に基づいて簡単に説明する。本実施形態は、最上段の引出し２の前板５４に内蔵した施錠具６の施錠、開錠動作に連動して上下動する施錠杆１７を前記キャビネット本体１の側框部１８に垂設するとともに、該施錠杆１７の上端に設けた係合片１９を前記天板３を貫通させて前記収納具４の内部に位置させ、前記施錠具６の施錠動作に連動して前記施錠杆１７が上動すると、該施錠杆１７が各引出し２，…の適所に引き出し不能に係合するとともに、前記係合片１９が前記トレー引出し５の適所に引き出し不能に係合し、前記施錠具６の開錠動作に連動して前記施錠杆１７が下動すると、前記各引出し２，…及びトレー引出し５に対する係合が解除されるものである。
【００３４】
具体的には、前記施錠具６が最上段の引出し２の前板５４に内蔵したダイヤル錠６Ｂであり、該ダイヤル錠６Ｂにつまみ操作によって回転して前記前板５４の上端から前記天板３内へ進入する翼片５５が設けられており、前記天板３の内部であって前記施錠杆１７の上部に設けた略水平な操作板部５６の下面を前記翼片５５に摺接可能に設けるとともに、該操作板部５６の上面に前記係合片１９を立設している。尚、前記操作板部５６の先端部は若干上方へ傾斜した案内部５７となっており、前記前板５４の上端から突出してくる前記翼片５５を確実に操作板部５６の下面へ案内している。前記ダイヤル錠６Ａのつまみを右回りに回して施錠動作させると、前記翼片５５が前記操作板部５６の下面に摺接しながら押上げ、もって施錠杆１７と係合片１９とが上動するのである。尚、前記ダイヤル錠６Ｂは、三つのダイヤルを回して数字を、予め設定した暗証番号に揃えることによってつまみを開錠操作できるようになるが、暗証番号を忘れたときに別途キーを差し込んで開錠操作できるようにシリンダー錠と組み合わせた構造のものを用いることも好ましい。尚、前記ダイヤルの数は防盗性を高めるために四つあるいは五つのものを用いることも好ましい。その他の構成は、前記同様であるので、同一構成には同一符号を付してその説明は省略する。
【００３５】
また、前記翼片５５の代わりに、つまみ操作によって上下動して前記前板５４上端から前記天板３内へ進入する施錠片（図示せず）が設けられたダイヤル錠を用い、前記天板３内部であって前記施錠杆１７の上部に設けた略水平な操作板部５６の下面を前記施錠片に当接可能に設けるとともに、該操作板部５６の上面に前記係合片１９を立設したものでも良い。
【図面の簡単な説明】
【００３６】
【図１】本発明の第１実施形態に係るキャビネットワゴンの全体斜視図である。
【図２】机の天板下方にキャビネットワゴンを配置した状態の正面図である。
【図３】同じく側面図である。
【図４】キャビネット本体の天板上面に収納具を装着した状態の縦断側面図である。
【図５】同じく拡大縦断正面図である。
【図６】キャビネット本体に天板と収納具を取付ける構造を示す省略分解斜視図である。
【図７】同じく分解縦断面図である。
【図８】収納具の分解斜視図である。
【図９】収納具を全部品に分解した斜視図である。
【図１０】第１実施形態の変形例を示すキャビネットワゴンの全体斜視図である。
【図１１】本発明の第２実施形態を示すキャビネット本体の天板上面に収納具を装着した状態の拡大縦断正面図である。
【符号の説明】
【００３７】
Ａ  キャビネットワゴン    Ｂ  机
１  キャビネット本体      ２  引出し
３  天板                  ４  収納具
５  トレー引出し          ６  施錠具
６Ａ  シリンダー錠        ６Ｂ  ダイヤル錠
７  キャスター            ８  机天板
９  脚部                  １０  横ビーム
１１  箱型ケース          １２  トレー部
１３  ハンギングレール    １４  凹陥部
１５  シート              １６  凹部
１７  施錠杆              １８  側框部
１９  係合片              ２０  操作ピン
２１  操作板部            ２２  スリット孔
２３  補強縁部            ２４  係合孔
２５  係合爪              ２６  係合部
２７  前補強              ２８  後補強
２９  上面板              ３０  側面板
３１  前連結部材          ３２  後連結部材
３３  通孔                ３４  螺孔
３５  ダルマ孔            ３６  係合ピン
３７  ネジ                ３８  コーナー部材
３９  取付孔              ４０  ネジ
４１  突起                ４２  四角孔
４３  上板                ４４  側面板
４５  固定片              ４６  背面部材
４８  レール              ４９  スライダー
５０  胴部                ５１  側部材
５２  引手部材            ５３  折曲部
５４  前板                ５５  翼片
５６  操作板部            ５７  案内部
【図１】
2006125075.tif 000003
【図２】
2006125075.tif 000004
【図３】
2006125075.tif 000005
【図４】
2006125075.tif 000006
【図５】
2006125075.tif 000007
【図６】
2006125075.tif 000008
【図７】
2006125075.tif 000009
【図８】
2006125075.tif 000010
【図９】
2006125075.tif 000011
【図１０】
2006125075.tif 000012
【図１１】
2006125075.tif 000013